(57)【要約】【課題】ゲームに使用される多数の遊技体を効率的に搬送する。【解決手段】ゲームに使用される転動可能な遊技体を搬送する搬送装置は、遊技体が載置される複数の支持部が周方向に沿って外周面に設置され、遊技体を鉛直方向の上方に搬送する環状の搬送ベルトと、外周面のうち鉛直方向の上方に移動する範囲に対向し、支持部からの遊技体の落下を抑制する対向部とを具備し、複数の支持部のうち周方向に隣合う２個の支持部の間の空間は、２個以上の遊技体を収容可能である。【選択図】図４
2020065600.tif 000002
【特許請求の範囲】
【請求項１】
ゲームに使用される転動可能な遊技体を搬送する搬送装置であって、
前記遊技体が載置される複数の支持部が周方向に沿って外周面に設置され、前記遊技体を鉛直方向の上方に搬送する環状の搬送ベルトと、
前記外周面のうち鉛直方向の上方に移動する範囲に対向し、前記支持部からの前記遊技体の落下を抑制する対向部とを具備し、
前記複数の支持部のうち前記周方向に隣合う２個の支持部の間の空間は、２個以上の遊技体を収容可能である
搬送装置。
【請求項２】
前記遊技体は、当該遊技体が供給される供給面と前記対向部との間隔を介して前記支持部に載置される
請求項１の搬送装置。
【請求項３】
前記対向部のうち前記供給面側の端部は、前記外周面から離間する方向に移動可能である
請求項２の搬送装置。
【請求項４】
前記対向部のうち前記供給面側の部分は弾性変形可能である
請求項３の搬送装置。
【請求項５】
前記対向部のうち前記供給面側の端部を前記外周面側に付勢する弾性体
を具備する請求項３の搬送装置。
【請求項６】
前記対向部のうち前記供給面から遠い位置ほど可動範囲が小さい
請求項３から請求項５の何れかの搬送装置。
【請求項７】
前記供給面は、前記搬送ベルトに近い位置ほど低位となる傾斜面である
請求項２から請求項６の何れかの搬送装置。
【請求項８】
前記複数の支持部の各々は、前記外周面のうち鉛直方向の上方に移動する範囲において、当該支持部の先端部が基端部よりも上方に位置するように、前記外周面に対して傾斜する
請求項１から請求項７の何れかの搬送装置。
【請求項９】
前記搬送ベルトにおける鉛直方向の上方の端部において、前記遊技体は、前記支持部の回転移動により放出される
請求項１から請求項８の何れかの搬送装置。
【請求項１０】
前記外周面のうち鉛直方向の下方に移動する範囲における支持部は、前記遊技体を載置可能である
請求項１から請求項９の何れかの搬送装置。
【請求項１１】
前記周方向に隣合う２個の支持部の間隔は、前記遊技体の外径の２倍以上である
請求項１から請求項１０の何れかの搬送装置。
【請求項１２】
請求項１から請求項１１の何れかの搬送装置と、
前記遊技体を利用したゲームを実行する遊技体利用部とを具備し、
前記搬送装置は、前記遊技体利用部による利用後の前記遊技体を、当該遊技体利用部に搬送する
ゲーム装置。
【発明の詳細な説明】
【技術分野】
【０００１】
本発明は、ゲームに利用される遊技体を搬送する技術に関する。
【背景技術】
【０００２】
ボール等の遊技体を利用した各種のゲームが従来から提案されている。例えば特許文献１には、メダルを利用したゲーム機において、特定の抽選にボールを利用する構成が開示されている。特許文献１のゲーム機においては、リフト機構によりボールが搬送される。リフト機構は、２個のプーリに巻回された環状のベルトと、ベルトに固定された昇降部材とを具備する。昇降部材には１個のボールが載置される。昇降部材をベルトの回転により移動させることで、鉛直方向の上方にボールが搬送される。
【先行技術文献】
【特許文献】
【０００３】
【特許文献１】特開２００９−１３６３１８号公報
【発明の概要】
【発明が解決しようとする課題】
【０００４】
しかし、特許文献１の構成では、昇降部材によりボールを１個ずつしか搬送できない。すなわち、特許文献１のリフト機構では、多数のボールを効率的に搬送することは困難である。以上の事情を考慮して、本発明の好適な態様は、ゲームに使用される多数の遊技体を効率的に搬送することを目的とする。
【課題を解決するための手段】
【０００５】
以上の課題を解決するために、本発明の好適な態様に係る搬送装置は、ゲームに使用される転動可能な遊技体を搬送する搬送装置であって、前記遊技体が載置される複数の支持部が周方向に沿って外周面に設置され、前記遊技体を鉛直方向の上方に搬送する環状の搬送ベルトと、前記外周面のうち鉛直方向の上方に移動する範囲に対向し、前記支持部からの前記遊技体の落下を抑制する対向部とを具備し、前記複数の支持部のうち前記周方向に隣合う２個の支持部の間の空間は、２個以上の遊技体を収容可能である。
【０００６】
本発明の好適な態様に係るゲーム装置は、本発明の好適な態様に係る搬送装置と、前記遊技体を利用したゲームを実行する遊技体利用部とを具備し、前記搬送装置は、前記遊技体利用部による利用後の前記遊技体を、当該遊技体利用部に搬送する。
【図面の簡単な説明】
【０００７】
【図１】第１実施形態に係るゲーム装置の外観を例示する斜視図である。
【図２】遊技体の経路を例示する説明図である。
【図３】搬送装置の四面図（正面図，左側面図，右側面図，背面図）である。
【図４】図３におけるａ−ａ線の断面図である。
【図５】搬送装置における取込口の近傍を拡大した断面図である。
【図６】搬送装置における取込口の近傍の斜視図である。
【図７】支持部と対向部との間に遊技体が挟み込まれた場合の説明図である。
【図８】搬送装置における排出口の近傍を拡大した断面図である。
【図９】第２実施形態における対向部の構成を例示する断面図である。
【図１０】第２実施形態において支持部と対向部との間に遊技体が挟み込まれた場合の説明図である。
【図１１】変形例における搬送装置の構成を例示する断面図である。
【発明を実施するための形態】
【０００８】
図面を参照しながら本発明の実施の形態を説明する。図面における各部の寸法および縮尺は、実際の構成の寸法および縮尺とは適宜に相違する。以下に記載する実施の形態は、技術的に好適な種々の限定を含む。本発明の範囲は、以下に例示する実施形態には限定されない。
【０００９】
［第１実施形態］
図１は、第１実施形態に係るゲーム装置１００を例示する外観図である。ゲーム装置１００は、例えば娯楽施設（例えばゲームセンターまたはカジノ等）または商業施設（例えばショッピングセンター等）に設置される。カジノにおいて利用される場合、ゲーム装置１００は、ゲーミングマシンと称呼されることもある。
【００１０】
遊技者は、遊技価値を消費することでゲーム装置１００によるゲームをプレイすることができる。遊技価値は、例えばメダル（トークンコイン）、コイン（貨幣）もしくはチケット等の有体の媒体、または、クレジットもしくはポイント等の無体の価値である。無体の遊技価値の数量は、例えばＩＣカード等の記録媒体にデータとして記憶される。複数種の遊技価値の何れかを遊技者が選択して消費してもよい。遊技価値の消費は、遊技価値の投入とも換言される。
【００１１】
遊技価値はゲームの結果に応じた報酬（特典）として遊技者に付与される。すなわち、遊技価値の獲得がゲームの目的のひとつである。遊技価値の付与は、遊技価値の払出とも換言される。なお、ゲームのプレイのために遊技者が消費する遊技価値とゲームの結果に応じた報酬として遊技者に付与される遊技価値とは、同種および異種の何れでもよい。例えば、無体の遊技価値であるクレジットの消費により遊技者がゲームをプレイした結果に応じて、所定数のチケット（すなわち異種の遊技価値）を報酬として遊技者に付与してもよいし、所定の数量のクレジット（すなわち同種の遊技価値）を報酬として遊技者に付与してもよい。また、遊技価値以外の報酬（例えば各種の物品と交換可能なチケット）を遊技者に付与してもよい。
【００１２】
図１に例示される通り、第１実施形態のゲーム装置１００は、操作パネル１０とゲーム機構２０とを具備する。操作パネル１０は、操作部１１Lと操作部１１Rと受付部１２と払出部１３とを具備する。操作部１１Lおよび操作部１１Rの各々は、遊技者が操作可能な操作ボタンである。受付部１２は、遊技価値の投入を受付ける。例えば、チケットまたはトークンコイン等の有体の遊技価値の投入を受付ける投入口、または、クレジット等の無体の遊技価値を例えばＩＣカード等の記録媒体から取得する読出回路が、受付部１２として利用される。払出部１３は、遊技価値を遊技者に付与する。例えば、チケット等の有体の遊技価値を報酬として放出する払出口、または、クレジット等の無体の遊技価値を記録媒体に書込む書込回路が、払出部１３として利用される。
【００１３】
ゲーム機構２０は、遊技者にゲームを提供する機構である。図１に例示される通り、ゲーム機構２０は、テーブル２１とプッシャー部２２と支持構造体２３と投入機構２４Lと投入機構２４Rとを具備する。テーブル２１は、略水平に設置された平板状の部材である。プッシャー部２２は、テーブル２１の面上で往復する立体的な構造体（プッシャーテーブル）である。具体的には、プッシャー部２２は、図１に図示された矢印αの方向（すなわち前後方向）に沿ってテーブル２１の面上で反復的に往復する。
【００１４】
支持構造体２３は、ゲーム機構２０の各要素を支持する構造体であり、側壁部２３１Lと側壁部２３１Rと前壁部２３２と後壁部２３４とを含んで構成される。側壁部２３１Lおよび側壁部２３１Rは、相互に対向するようにゲーム機構２０の左右に設置される。前壁部２３２は、テーブル２１における遊技者側の縁部（以下「前縁」という）Ｅから離間した位置で当該前縁Ｅに沿って延在する部材である。前壁部２３２とテーブル２１の前縁Ｅとの間には当該前縁Ｅに沿う開口（以下「落下口」という）Ｑが形成される。後壁部２３４は、側壁部２３１Lと側壁部２３１Rとの間に架設されてプッシャー部２２の上面に対向する長尺状の部材である。
【００１５】
図１に例示される通り、投入機構２４Lおよび投入機構２４Rは、プッシャー部２２の上面に向けて遊技体Ｂを投入する機構である。投入機構２４Lは、図１に例示される通り、プッシャー部２２の左側からプッシャー部２２の上面に向けて遊技体Ｂを投入する。投入機構２４Rは、プッシャー部２２の右側からプッシャー部２２の上面に向けて遊技体Ｂを投入する。第１実施形態の遊技体Ｂは球体である。遊技体Ｂは、例えばアクリル樹脂またはガラス等の光透過性の材料で形成される。
【００１６】
投入機構２４Lおよび投入機構２４Rの各々が遊技体Ｂを投入する方向および時点は可変である。遊技者は、投入機構２４Lによる遊技体Ｂの投入の方向を操作部１１Lに対する操作に応じて変更可能であり、投入機構２４Rによる遊技体Ｂの投入の方向を操作部１１Rに対する操作に応じて変更可能である。なお、投入機構２４Lおよび投入機構２４Rの一方のみを設置してもよい。
【００１７】
図１に例示される通り、テーブル２１およびプッシャー部２２の上面には多数の遊技体Ｂが稠密に載置される。プッシャー部２２の上面に載置された遊技体Ｂは、プッシャー部２２が後方（遊技者からみて奥側）に移動するときに後壁部２３４により押圧される。後壁部２３４により押圧されることで複数の遊技体Ｂが順次に前方に移動し、プッシャー部２２の前縁の近傍に位置する余剰の遊技体Ｂが、プッシャー部２２の上面からテーブル２１の上面に落下する。テーブル２１の上面の複数の遊技体Ｂは、前方（遊技者からみて手前側）に移動するプッシャー部２２により押圧されることで順次に前方に移動し、テーブル２１の前縁Ｅの近傍に位置する余剰の遊技体Ｂが当該前縁Ｅから落下口Ｑに落下する。落下口Ｑに落下した遊技体Ｂの個数に応じた遊技価値が遊技者に付与される。以上の説明から理解される通り、第１実施形態のゲーム機構２０は、遊技体Ｂを利用したゲームを実行する要素（遊技体利用部の一例）として機能する。
【００１８】
図２は、遊技体Ｂの経路を例示する模式図である。図２に例示される通り、テーブル２１の前縁Ｅから落下口Ｑに落下した遊技体Ｂは、計数器２６により個数が計数されたうえで搬送装置３０に供給される。計数器２６により計数された個数に応じた数量の遊技価値が遊技者に付与される。搬送装置３０は、遊技体Ｂを鉛直方向の上方に搬送する機構である。搬送装置３０により搬送された遊技体Ｂは投入機構２４Lまたは投入機構２４Rに供給される。すなわち、遊技体Ｂは、投入機構２４Lまたは投入機構２４R→プッシャー部２２の上面→テーブル２１の上面→落下口Ｑ→計数器２６→搬送装置３０→投入機構２４Lまたは投入機構２４R、という経路により循環する。以上に説明した通り、搬送装置３０は、ゲーム機構２０による利用後の遊技体Ｂを当該ゲーム機構２０に搬送する機構である。
【００１９】
図３は、搬送装置３０の構成を例示する四面図である。図３に例示される通り、以下の説明では、相互に直交する３方向（Ｘ方向、Ｙ方向およびＺ方向）を想定する。Ｚ方向の正側は、鉛直方向の上方に相当し、Ｚ方向の負側は、鉛直方向の下方（すなわち重力方向）に相当する。したがって、Ｘ-Ｙ平面は、水平面に平行な平面である。Ｙ方向の正側を「前面側」と表記し、Ｙ方向の負側を「背面側」と表記する。図３には、搬送装置３０の前面図（正面図）と背面図と右側面図と左側面図とが図示されている。また、図４は、図３におけるａ−ａ線の断面図である。
【００２０】
図３に例示される通り、第１実施形態の搬送装置３０は、筐体部３１と回転体３２と回転体３３と駆動機構３４と搬送ベルト３５とを具備するベルトコンベアである。筐体部３１は、搬送ベルト３５と回転体３２と回転体３３とを収容する中空の構造体であり、概略的にはＺ方向に長尺な直方体状に形成される。第１実施形態の筐体部３１は、対向部３１１と背面部３１２と左側面部３１３と右側面部３１４とを具備する。筐体部３１を構成する以上の各要素は、Ｚ方向に長尺な板状部材である。対向部３１１は、筐体部３１における前面側に位置し、Ｘ-Ｚ平面に平行に設置される。背面部３１２は、対向部３１１に対して間隔をあけて当該対向部３１１の背面側に設置される。左側面部３１３および右側面部３１４の各々は、対向部３１１と背面部３１２との間隔を閉塞するようにＹ-Ｚ平面に平行に設置される。対向部３１１と背面部３１２と左側面部３１３と右側面部３１４とで包囲されたＺ方向に長尺な空間に、搬送ベルト３５と回転体３２と回転体３３とが設置される。
【００２１】
回転体３２および回転体３３は、搬送ベルト３５を支持するローラーである。回転体３２は、筐体部３１の内部における下端部（すなわちＺ方向の負側の端部）の近傍に設置される。回転体３２は、左側面部３１３および右側面部３１４に軸支され、Ｘ方向に平行な回転軸を中心として回転可能である。回転体３３は、筐体部３１の内部における上端部（すなわちＺ方向の正側の端部）の近傍に設置される。すなわち、回転体３２と回転体３３とはＺ方向に相互に間隔をあけて設置される。回転体３３は、回転体３２と同様に、左側面部３１３および右側面部３１４に軸支され、Ｘ方向に平行な回転軸を中心として回転可能である。
【００２２】
駆動機構３４は、例えば左側面部３１３に設置されて回転体３２を回転させる。具体的には、駆動機構３４は、図４に例示される通り、搬送装置３０を左側方からみて反時計回りに回転体３２を回転させる。例えばモータ等が駆動機構３４として好適に利用される。なお、駆動機構３４が回転体３３を回転させる構成、または、駆動機構３４が回転体３２および回転体３３の双方を回転させる構成も想定される。
【００２３】
搬送ベルト３５は、複数の遊技体Ｂを鉛直方向の上方に搬送するための無端ベルトであり、例えばゴム等の弾性材料で形成される。図３および図４に例示される通り、第１実施形態の搬送ベルト３５は、環状の基体部３５１と複数の支持部３５２とを具備する。基体部３５１は、回転体３２と回転体３３とに長円状に掛け渡された帯状部分である。すなわち、基体部３５１の内周面は、回転体３２および回転体３３の外周面に接触する。
【００２４】
図５は、筐体部３１のうち鉛直方向の下方側の部分を拡大した断面図であり、図６は、筐体部３１における当該部分の斜視図である。図４および図５に例示される通り、基体部３５１の外周面（以下「搬送面」という）Ｆに複数の支持部３５２が設置される。各支持部３５２は、基体部３５１の幅方向に沿って搬送面Ｆから突出する板状部分であり、例えば基体部３５１と一体に形成される。複数の支持部３５２は、基体部３５１の周方向に沿って相互に間隔Ｇをあけて配列される。
【００２５】
回転体３２の回転に連動して搬送ベルト３５および回転体３３は回転する。したがって、図４に例示される通り、搬送面Ｆのうち前面側の範囲Ｒaにおいては、回転体３２の回転に連動して複数の支持部３５２が鉛直方向の上方（Ｚ方向の正側）に移動する。すなわち、範囲Ｒaでは複数の支持部３５２が上昇する。他方、搬送ベルト３５の搬送面Ｆのうち背面側の範囲Ｒbにおいては、回転体３２の回転に連動して複数の支持部３５２が鉛直方向の下方（Ｚ方向の負側）に移動する。すなわち、範囲Ｒbでは複数の支持部３５２が下降する。図５に例示される通り、各支持部３５２には遊技体Ｂが載置される。したがって、範囲Ｒa内の各支持部３５２に載置された遊技体Ｂは、回転体３２の回転に連動して鉛直方向の上方に搬送される。図３および図４に例示される通り、筐体部３１の対向部３１１は搬送面Ｆの範囲Ｒaに対向し、筐体部３１の背面部３１２は搬送面Ｆの範囲Ｒbに対向する。
【００２６】
図３および図６に例示される通り、筐体部３１のうち鉛直方向の下方側の部分の前面側には供給部４１が設置される。供給部４１は、遊技体Ｂが供給される供給面４１１が上面に形成された構造体である。供給面４１１は、搬送ベルト３５に近い位置ほど低位となるように傾斜した平面または曲面である。したがって、供給面４１１に供給された遊技体Ｂは、当該供給面４１１上で転動して搬送装置３０に接近する。以上の説明の通り、第１実施形態では、供給面４１１上で遊技体Ｂが搬送ベルト３５に向けて転動するから、簡便な構成により多数の遊技体Ｂを効率的に搬送装置３０に取込むことが可能である。
【００２７】
図３から図６に例示される通り、供給部４１の供給面４１１と筐体部３１の対向部３１１との間には間隔（以下「取込口」という）４２が確保される。図５に例示される通り、鉛直方向における取込口４２の寸法Ｈは、遊技体Ｂの外径Ｄの２倍を上回る。遊技体Ｂの外径Ｄが１５ｍｍ以上かつ２０ｍｍ以下の寸法（例えば１７ｍｍ）であるのに対し、取込口４２の寸法Ｈは、例えば１００ｍｍ以上かつ１０４ｍｍ以下の範囲内の適切な数値である。
【００２８】
図６に例示される通り、搬送ベルト３５のうち範囲Ｒaの下端側の一部が取込口４２から露出する。搬送装置３０に向けて供給面４１１上で転動する複数の遊技体Ｂは、取込口４２を通過して筐体部３１の内側に進入し、範囲Ｒaにおいて鉛直方向の上方に移動する１個の支持部３５２に載置される。支持部３５２に載置された遊技体Ｂは、回転体３２の回転に連動した搬送面Ｆの進行により鉛直方向の上方に搬送される。以上の説明から理解される通り、供給部４１の供給面４１１は、遊技体Ｂを取込口４２に誘導する傾斜面であり、取込口４２は、遊技体Ｂを搬送装置３０の内部に取込むための開口である。以上の構成によれば、供給面４１１との間に間隔をあけて対向部３１１を設置する簡便な構成により、多数の遊技体Ｂを搬送装置３０に取込むことが可能である。
【００２９】
図５に例示される通り、基体部３５１の搬送面Ｆには、複数の支持部３５２が所定のピッチＰで等間隔に配列される。ピッチＰは例えば４５ｍｍ以上かつ５５ｍｍ以下の寸法（より好適には５０ｍｍ以上かつ５３ｍｍ以下）に設定される。搬送面Ｆの周方向に隣合う２個の支持部３５２の間隔Ｇは、遊技体Ｂの外径Ｄを上回る。第１実施形態における各支持部３５２の間隔Ｇは、遊技体Ｂの外径Ｄの２倍を上回る（Ｇ＞２Ｄ）。また、図３から理解される通り、各支持部３５２は、基体部３５１と同等の幅Ｗにわたり幅方向に延在する。したがって、左側面部３１３および右側面部３１４は、空間Ｓの側壁として機能し、遊技体Ｂが支持部３５２から側方（Ｘ方向の正側または負側）に落下することを防止する。支持部３５２の幅Ｗは遊技体Ｂの外径Ｄを上回る。第１実施形態における支持部３５２の幅Ｗは、遊技体Ｂの外径Ｄの２倍を上回る（Ｗ＞２Ｄ）。
【００３０】
以上の例示の通り、第１実施形態では、各支持部３５２の間隔Ｇおよび幅Ｗが遊技体Ｂの外径Ｄを上回る寸法に設定されるから、基体部３５１の周方向に隣合う２個の支持部３５２の間の空間Ｓ（図５参照）は、２個以上の遊技体Ｂを収容可能である。具体的には、図６から理解される通り、範囲Ｒaの支持部３５２に載置された２個以上の遊技体Ｂは、空間Ｓ内に鉛直方向に積載された状態、または空間Ｓ内で基体部３５１の幅方向に並列した状態で、鉛直方向の上方に搬送される。したがって、第１実施形態によれば、１個の遊技体が載置される昇降部材を移動させる特許文献１の構成と比較して、多数の遊技体Ｂを効率的に搬送できるという利点がある。
【００３１】
図５に例示される通り、搬送面Ｆの範囲Ｒaにおける複数の支持部３５２の各々は上方に傾斜する。すなわち、各支持部３５２のうち搬送面Ｆとは反対側に位置する先端部が、搬送面Ｆ側に位置する基端部よりも上方に位置する。搬送面Ｆに対する支持部３５２の角度θは、例えば５０°以上かつ７０°以下（例えば６０°）である。搬送面Ｆが進行する方向（鉛直方向の上方）における前方側に支持部３５２が傾斜した構成とも換言される。以上の構成によれば、支持部３５２に載置された遊技体Ｂは、図５に例示される通り、当該支持部３５２の基端部側（支持部３５２と搬送面Ｆとの交点付近）に集中する。したがって、支持部３５２に載置された遊技体Ｂが搬送の過程で落下する可能性を低減できる。
【００３２】
他方、図４に例示される通り、搬送面Ｆの範囲Ｒbでは、範囲Ｒa内とは反対に、複数の支持部３５２の各々が下方に傾斜する。すなわち、各支持部３５２のうち搬送面Ｆとは反対側に位置する先端部が、搬送面Ｆ側に位置する基端部よりも下方に位置する。
【００３３】
図５に例示される通り、筐体部３１の対向部３１１は搬送面Ｆに対向する。搬送面Ｆと対向部３１１との間に複数の支持部３５２が位置する。筐体部３１の対向部３１１と支持部３５２の先端部との間隔は遊技体Ｂの外径Ｄを下回る。したがって、支持部３５２に載置された多数の遊技体Ｂの一部が当該支持部３５２の先端部の近傍に位置する場合、または、搬送装置３０による搬送時の振動等の原因で遊技体Ｂが支持部３５２の先端部側に移動した場合でも、当該遊技体Ｂが支持部３５２から落下することは対向部３１１により防止される。すなわち、筐体部３１の対向部３１１は、支持部３５２からの遊技体Ｂの落下を抑制する要素として機能する。なお、各支持部３５２の先端部に対向部３１１が接触してもよい。
【００３４】
図３から図６に例示される通り、筐体部３１のうち搬送面Ｆの範囲Ｒaに対向する対向部３１１は、固定部５１と弾性部５２とを含んで構成される。固定部５１および弾性部５２の双方が搬送面Ｆの範囲Ｒaに対向する。固定部５１は、搬送面Ｆの範囲Ｒaに対向するように固定された板状部材である。弾性部５２は、弾性材料で形成された板状部材である。弾性部５２の上端部が固定部５１の下端部に固定される。すなわち、弾性部５２は、対向部３１１のうち供給面４１１側の部分に相当する。弾性部５２の下端部は自由端である。したがって、弾性部５２は外力の作用により弾性変形する。すなわち、図５に破線で図示される通り、弾性部５２の下端部は、搬送面Ｆに対して離間または接近する方向に弾性的に移動可能である。すなわち、弾性部５２は、弾性変形可能な板バネとして機能する。
【００３５】
図７に状態Ａとして例示される通り、多数の遊技体Ｂが支持部３５２に載置された結果、取込口４２内で一部の遊技体Ｂ1が支持部３５２の先端部から突出した状態で当該支持部３５２が進行する場合がある。対向部３１１の全体が固定された構成（以下「対比例」という）では、支持部３５２の先端部から突出した遊技体Ｂ1が対向部３１１の下端部と当該支持部３５２との間に挟み込まれる。以上の状態では、遊技体Ｂ1と支持部３５２と対向部３１１との相互間の力が均衡し、結果的に支持部３５２の進行が阻害される可能性がある。すなわち、遊技体Ｂの搬送が停留する現象（以下「ブリッジ現象」という）が発生し得る。また、支持部３５２と対向部３１１との間に挟まれた遊技体Ｂに過度な荷重が作用する可能性もある。
【００３６】
以上に説明した対比例とは対照的に、第１実施形態では、対向部３１１のうち供給面４１１側の端部（すなわち弾性部５２）が弾性変形可能である。したがって、図７の状態Ａから搬送面Ｆが進行すると、図７に状態Ｂとして例示される通り、遊技体Ｂ1が弾性部５２に接触することで当該弾性部５２が搬送面Ｆから離間する方向に弾性変形する。そして、図７に状態Ｃとして例示される通り、遊技体Ｂ1は、弾性変形した弾性部５２により押圧されることで他の遊技体Ｂの上方または側方に移動し、搬送面Ｆの進行により他の遊技体Ｂとともに鉛直方向の上方に搬送される。また、遊技体Ｂ1の突出が解消すると、図７の状態Ｃの通り、弾性部５２は弾性により平板状の形状に復帰する。
【００３７】
以上の説明の通り、第１実施形態では、支持部３５２と弾性部５２との間に挟まれた遊技体Ｂが２個の支持部３５２の間の空間Ｓ内に移動可能であるから、前述のブリッジ現象の発生を抑制することが可能である。第１実施形態では特に、対向部３１１の弾性部５２が弾性変形可能であるから、図７を参照して説明した通り、対向部３１１の全体が固定された対比例と比較して、ブリッジ現象の発生を抑制できるという効果は格別に顕著である。
【００３８】
図５から理解される通り、弾性部５２のうち供給面４１１から遠い位置ほど可動範囲は小さい。すなわち、弾性部５２のうち任意の地点ｐ1が弾性部５２の弾性変形により移動する範囲ｒ1は、地点ｐ1よりも供給面４１１側の地点ｐ2が移動する範囲ｒ2よりも小さい。対向部３１１のうち供給面４１１から遠い部分も搬送面Ｆから離間する方向に充分に移動する構成では、支持部３５２からの遊技体Ｂの落下を抑制する対向部３１１の機能を充分に確保できない可能性がある。第１実施形態では、対向部３１１のうち供給面４１１から遠い位置ほど可動範囲が小さいから、遊技体Ｂの落下を抑制する対向部３１１の作用を充分に確保しながら、対向部３１１のうち供給面４１１側の端部（すなわち弾性部５２）を適度に移動させることでブリッジ現象を有効に抑制することが可能である。
【００３９】
図３および図４に例示される通り、筐体部３１のうち鉛直方向の上端部の近傍の背面側には排出口４３が形成される。具体的には、筐体部３１のうち背面部３１２の上方に形成された開口が排出口４３に相当する。図８は、排出口４３の近傍を拡大した断面図である。図８に例示される通り、搬送ベルト３５のうち範囲Ｒbの上端側の一部が排出口４３から露出する。また、背面部３１２の上縁に連続するように搬送路４４が形成される。搬送路４４は、遊技体Ｂが転動可能な通路である。搬送路４４は、投入機構２４Lまたは投入機構２４Rに連続する。
【００４０】
範囲Ｒa内の支持部３５２に載置された状態で鉛直方向の上方に搬送された遊技体Ｂは、支持部３５２とともに回転体３３の周囲を周回し、支持部３５２により押圧されることで背面側に放出される。すなわち、図８に矢印ａで例示される通り、支持部３５２の回転移動により遊技体Ｂが放出される。支持部３５２により放出された遊技体Ｂは、排出口４３を通過して搬送路４４の面上に着地する。なお、支持部３５２により放出された遊技体Ｂは、直接的に搬送路４４の面上に着地するほか、当該支持部３５２の前方の支持部３５２に衝突したうえで間接的に搬送路４４の面上に到達する場合もある。
【００４１】
搬送路４４の面上に着地した遊技体Ｂは、図８に矢印ｂで例示される通り、搬送路４４上において搬送装置３０から離間する方向に転動することで投入機構２４Lまたは投入機構２４Rに供給される。以上の説明から理解される通り、第１実施形態では、筐体部３１の前面側の取込口４２から取込まれた遊技体Ｂが鉛直方向の上方に搬送されて筐体部３１の背面側の排出口４３から排出される。第１実施形態によれば、支持部３５２の回転移動により遊技体Ｂが放出されるから、搬送装置３０から遊技体Ｂを排出するための煩雑な機構が不要であるという利点がある。
【００４２】
以上の説明の通り、排出口４３から排出された遊技体Ｂは、基本的には搬送装置３０から離間する方向に移動する。しかし、図８に矢印ｃで例示される通り、先行する他の遊技体Ｂとの衝突等により移動方向が反転して搬送装置３０に接近する遊技体Ｂ2も存在する。
【００４３】
排出口４３からの排出後に搬送装置３０に接近する遊技体Ｂ2は、当該排出口４３から筐体部３１の内側に進入して搬送路４４から落下する。搬送路４４から落下した遊技体Ｂ2は、範囲Ｒb内において鉛直方向の下方に移動する支持部３５２に載置される。すなわち、範囲Ｒa内において遊技体Ｂが載置される支持部３５２の表面とは反対側の表面に、範囲Ｒb内では遊技体Ｂ2が載置される。前述の通り、範囲Ｒbでは支持部３５２が下方に傾斜するから、支持部３５２に載置された遊技体Ｂ2は、支持部３５２の先端部側に位置する。すなわち、遊技体Ｂ2は、図８に例示される通り、支持部３５２と背面部３１２とに接触した状態で鉛直方向の下方に搬送される。以上の説明から理解される通り、第１実施形態の背面部３１２は、範囲Ｒb内において支持部３５２からの遊技体Ｂの落下を抑制する要素として機能する。
【００４４】
範囲Ｒb内の支持部３５２に載置された遊技体Ｂ2は、搬送面Ｆの進行により鉛直方向の下方に搬送される。搬送ベルト３５の下端部に到達した遊技体Ｂ2は、範囲Ｒa内において鉛直方向の上方に移動する支持部３５２に載置される。以上の説明から理解される通り、排出後に排出口４３から進入した遊技体Ｂ2は、搬送装置３０により鉛直方向の下方に搬送され、範囲Ｒaに到達することで再び鉛直方向の上方に搬送される。したがって、第１実施形態によれば、多数の遊技体Ｂを無駄なく効率的に搬送できるという利点がある。すなわち、排出後に排出口４３から進入した遊技体Ｂ2を再利用できる。
【００４５】
なお、範囲Ｒb内の支持部３５２により搬送されて当該範囲Ｒbの下端部に到達した遊技体Ｂを範囲Ｒa側に円滑に移動させるために、筐体部３１の内部空間の底面を回転体３２に沿った湾曲面（例えば円弧面）としてもよい。以上の構成によれば、範囲Ｒbの下端部に到達した遊技体Ｂは、湾曲面に沿って支持部３５２とともに範囲Ｒaまで移動する。
【００４６】
［第２実施形態］
本発明の第２実施形態を説明する。なお、以下の各例示において機能が第１実施形態と同様である要素については、第１実施形態の説明で使用した符号を流用して各々の詳細な説明を適宜に省略する。
【００４７】
図９は、第２実施形態における取込口４２の近傍の構成を例示する断面図である。図９に例示される通り、第２実施形態の対向部３１１は、固定部５１と可動部５３とを含んで構成される。固定部５１は、第１実施形態と同様に、搬送面Ｆの範囲Ｒaに対向するように固定された板状部材である。可動部５３は、固定部５１の下端部に設置されて搬送面Ｆの範囲Ｒaに対向する。すなわち、可動部５３は、対向部３１１のうち供給面４１１側の部分に相当する。可動部５３は、図９に破線で例示される通り、Ｘ方向に平行な回転軸を中心として固定部５１に対して回転可能である。例えば公知の構造のヒンジを介して可動部５３が固定部５１に連結される。以上の説明から理解される通り、第２実施形態の可動部５３は、搬送面Ｆに対して離間または接近する方向に移動可能である。可動部５３は、例えばバネまたはゴム等の弾性体５４により搬送面Ｆ側に付勢される。
【００４８】
図１０に状態Ａとして例示される通り、支持部３５２に載置された多数の遊技体Ｂのうち一部の遊技体Ｂ1が支持部３５２の先端部から突出した状態を想定する。図１０の状態Ａから搬送面Ｆが進行すると、図１０に状態Ｂとして例示される通り、遊技体Ｂ1が可動部５３に接触することで当該可動部５３が搬送面Ｆから離間する方向に移動する。前述の通り、可動部５３は弾性体５４により搬送面Ｆ側に付勢されている。したがって、図１０に状態Ｃとして例示される通り、遊技体Ｂ1は可動部５３により押圧されることで他の遊技体Ｂの上方または側方に移動する。以上のように遊技体Ｂ1の突出が解消すると、図１０の状態Ｃの通り、可動部５３は弾性体５４の付勢によりＸ-Ｚ平面に平行な状態に復帰する。以上の説明から理解される通り、第２実施形態においても第１実施形態と同様の効果が実現される。
【００４９】
なお、以上の説明では、対向部３１１とは別個の弾性体５４を例示したが、固定部５１と可動部５３とを連結する連結部材に、可動部５３を搬送面Ｆ側に付勢する機能を搭載してもよい。例えば、弾性体５４を回転方向に付勢するトルクヒンジが、固定部５１と可動部５３との間の連結部材として好適に利用される。
【００５０】
［変形例］
以上に例示した各態様に付加される具体的な変形の態様を以下に例示する。以下の例示から任意に選択された２個以上の態様を、相互に矛盾しない範囲で適宜に併合してもよい。
【００５１】
（１）対向部３１１のうち供給面４１１側の部分（例えば第１実施形態の弾性部５２または第２実施形態の可動部５３）を移動させるための構造は以上の例示に限定されない。例えば、図１１に例示される通り、上端部が固定された単体の板状部材で対向部３１１を構成してもよい。図１１に破線で例示される通り、図１１の対向部３１１は、遊技体Ｂからの押圧により、搬送面Ｆから全体的に離間するように変形する。
【００５２】
（２）前述の各形態では、搬送面Ｆの周方向に隣合う２個の支持部３５２の間隔Ｇが遊技体Ｂの外径Ｄの２倍を上回るという条件と、支持部３５２の幅Ｗが遊技体Ｂの外径Ｄの２倍を上回るという条件との双方を充足するように支持部３５２を形成したが、以上の条件のうち何れか一方のみを充足するように搬送面Ｆに支持部３５２を形成してもよい。すなわち、搬送面Ｆの周方向に隣合う２個の支持部３５２の間の空間Ｓが２個以上の遊技体Ｂを収容可能であれば、支持部３５２の間隔Ｇまたは幅Ｗに関する条件の成否は任意である。
【００５３】
（３）前述の各形態では、搬送面Ｆの周方向に隣合う２個の支持部３５２の間の空間Ｓが２個以上の遊技体Ｂを収容可能な構成と、対向部３１１のうち供給面４１１側の端部が搬送面Ｆから離間する方向に移動可能である構成との双方を具備する形態を例示したが、以上の構成のうち何れか一方のみを具備する構成も想定される。
【００５４】
（４）前述の各形態では、対向部３１１と背面部３１２と左側面部３１３と右側面部３１４とを具備する筐体部３１を例示したが、以下に例示する通り、筐体部３１の具体的な構成は、前述の各形態での例示に限定されない。
【００５５】
例えば、前述の各形態では、範囲Ｒa内の支持部３５２から遊技体Ｂが落下することを抑制するために対向部３１１を設置したが、支持部３５２から遊技体Ｂが落下しない構成または遊技体Ｂの落下が特段の問題とならない構成では、対向部３１１を省略してもよい。例えば、支持部３５２の傾斜により遊技体Ｂの落下が充分に抑制される構成、または、遊技体Ｂの落下の原因となる振動装置３０の振動が吸振構造により抑制される構成では、対向部３１１を省略してもよい。
【００５６】
前述の各形態では、範囲Ｒb内で遊技体Ｂを鉛直方向の下方に搬送するために背面部３１２を設置したが、例えば範囲Ｒb内で遊技体Ｂを搬送する必要がない構成では、背面部３１２を省略してもよい。例えば、排出口４３から排出された遊技体Ｂが確実に搬送路４４からゲーム機構２０に供給される構成（すなわち、遊技体Ｂが排出口４３に戻らない構成）では、範囲Ｒb内で遊技体Ｂを搬送する必要はないから、背面部３１２を省略してもよい。
【００５７】
前述の各形態では、遊技体Ｂが支持部３５２から側方（Ｘ方向の正側または負側）に落下することを左側面部３１３および右側面部３１４により抑制したが、遊技体Ｂの落下を防止する側壁を搬送ベルト３５に設置してもよい。側壁は、支持部３５２におけるＸ方向の正側および負側の縁辺から鉛直方向に突出する部分である。以上の構成により側方からの遊技体Ｂの落下が抑制されるから、左側面部３１３および右側面部３１４を省略してもよい。
【００５８】
（５）前述の各形態では、複数の支持部３５２が周方向に沿って搬送面Ｆに設置された搬送ベルト３５を例示したが、遊技体Ｂを搬送するための構造は以上の例示に限定されない。例えば、回転可能な円柱体の外周面に、回転軸に沿う螺旋状の突起部が形成された螺旋体（いわゆるスクリューリフター）を、搬送ベルト３５の代わりに採用してもよい。遊技体Ｂは、螺旋状の突起部の上面に載置され、螺旋体の回転とともに鉛直方向の上方に移動する。搬送ベルト３５を利用した構成について例示した前述の各種の形態は、螺旋体により遊技体Ｂを搬送する構成にも同様に適用される。
【００５９】
［付記］
以上の記載から、例えば以下のように本発明の好適な態様が把握される。なお、各態様の理解を容易にするために、以下では、図面の符号を便宜的に括弧書で併記するが、本発明を図示の態様に限定する趣旨ではない。
【００６０】
本発明の好適な態様（付記１）に係る搬送装置（３０）は、ゲームに使用される転動可能な遊技体（Ｂ）を搬送する搬送装置（３０）であって、前記遊技体（Ｂ）が載置される複数の支持部（３５２）が周方向に沿って外周面（Ｆ）に設置され、前記遊技体（Ｂ）を鉛直方向の上方に搬送する環状の搬送ベルト（３５）と、前記外周面（Ｆ）のうち鉛直方向の上方に移動する範囲（Ｒa）に対向し、前記支持部（３５２）からの前記遊技体（Ｂ）の落下を抑制する対向部（３１１）とを具備し、前記複数の支持部（３５２）のうち前記周方向に隣合う２個の支持部（３５２）の間の空間（Ｓ）は、２個以上の遊技体（Ｂ）を収容可能である。
【００６１】
以上の態様では、遊技体（Ｂ）が載置される複数の支持部（３５２）の間の空間（Ｓ）が、２個以上の遊技体（Ｂ）を収容可能である。したがって、１個の遊技体（Ｂ）が載置される昇降部材を移動させる構成と比較して、多数の遊技体（Ｂ）を効率的に搬送できるという利点がある。また、搬送ベルト（３５）の外周面（Ｆ）に対向する対向部（３１１）が設置されるから、各支持部（３５２）に載置された遊技体（Ｂ）の落下を抑制できる。他方、多数の遊技体（Ｂ）を一斉に搬送する構成では、各遊技体（Ｂ）と支持部（３５２）と対向部（３１１）とが接触した状態で相互間の力が均衡し、結果的に遊技体（Ｂ）の搬送が停留する現象（以下「ブリッジ現象」という）が発生する可能性がある。本発明の好適な態様によれば、支持部（３５２）と対向部（３１１）との間に挟まれた遊技体（Ｂ）が２個の支持部（３５２）の間の空間（Ｓ）内に移動可能であるから、ブリッジ現象の発生を抑制できるという利点もある。
【００６２】
周方向に隣合う２個の支持部（３５２）の間の空間（Ｓ）に収容される２個以上の遊技体（Ｂ）の配列は任意である。例えば、
（１）支持部（３５２）に載置された２個以上の遊技体（Ｂ）が鉛直方向に積載されるように２個の支持部（３５２）の間隔（Ｇ）が選定された構成、および、
（２）支持部（３５２）に載置された２個以上の遊技体（Ｂ）が搬送ベルト（３５）の幅方向に並列するように支持部（３５２）の横幅が選定された構成
の一方または双方が、２個の支持部（３５２）の間の空間（Ｓ）に２個以上の遊技体（Ｂ）が収容される構成として好適である。
【００６３】
搬送ベルト（３５）の周方向に隣合う２個の支持部（３５２）の対の全部について、２個の支持部（３５２）の間の空間（Ｓ）に２個以上の遊技体（Ｂ）を収容できる構成までは必須ではない。すなわち、相互に隣合う２個の支持部（３５２）で構成される複数対のうちの一部については、２個の支持部（３５２）の間の空間（Ｓ）に遊技体（Ｂ）が１個しか収容できなくてもよい。
【００６４】
対向部（３１１）は、支持部（３５２）からの遊技体（Ｂ）の落下を抑制する。例えば、支持部（３５２）と対向部（３１１）との間隔が遊技体（Ｂ）の外形寸法（例えば球体状の遊技体（Ｂ）の外径）を下回る構成、または、対向部（３１１）が支持部（３５２）に接触する構成によれば、遊技体（Ｂ）の落下が対向部（３１１）により抑制される。
【００６５】
「遊技体（Ｂ）」は、姿勢または方向によらず転動可能な任意の形状の立体物である。「転動可能な遊技体（Ｂ）」の典型例は球体であるが、楕円体または多面体等の転動可能な任意の立体が「遊技体（Ｂ）」の概念に包含される。
【００６６】
付記１の好適例（付記２）において、前記遊技体（Ｂ）は、当該遊技体（Ｂ）が供給される供給面（４１１）と前記対向部（３１１）との間隔（４２）を介して前記支持部（３５２）に載置される。以上の態様によれば、供給面（４１１）との間に間隔（４２）をあけて対向部（３１１）を設置する簡便な構成により、多数の遊技体（Ｂ）を搬送装置（３０）に取込むことが可能である。
【００６７】
付記２の好適例（付記３）において、前記対向部（３１１）のうち前記供給面（４１１）側の端部は、前記外周面（Ｆ）から離間する方向に移動可能である。供給面（４１１）と対向部（３１１）との間の開口を介して遊技体（Ｂ）が支持部（３５２）に載置される構成では、支持部（３５２）の上面と対向部（３１１）のうち供給面（４１１）側の端部（すなわち下端部）との間に遊技体（Ｂ）が挟み込まれることで、前述のブリッジ現象が発生し易い。対向部（３１１）のうち供給面（４１１）側の端部が外周面（Ｆ）から離間する方向に移動可能である以上の態様によれば、当該端部が移動しない構成と比較して、ブリッジ現象の発生を有効に抑制できるという利点がある。
【００６８】
付記３の好適例（付記４）において、前記対向部（３１１）のうち前記供給面（４１１）側の部分は弾性変形可能である。以上の態様では、対向部（３１１）のうち供給面（４１１）側の部分が弾性変形することで、対向部（３１１）のうち供給面（４１１）側の端部が外周面（Ｆ）から離間する方向に移動する。したがって、簡便な構成でブリッジ現象の発生を有効に抑制できるという利点がある。
【００６９】
なお、対向部（３１１）のうち供給面（４１１）側の部分が弾性変形可能である構成としては、
（１）搬送ベルト（３５）の外周面（Ｆ）に対向するように固定された固定部と、当該固定部に設置されて弾性変形可能な弾性部と、を対向部（３１１）が具備する構成、または、
（２）対向部（３１１）の全体が弾性変形可能である構成、
が例示される。
【００７０】
付記３の好適例（付記５）に係る搬送装置（３０）は、前記対向部（３１１）のうち前記供給面（４１１）側の端部を前記外周面（Ｆ）側に付勢する弾性体（５４）を具備する。対向部（３１１）のうち供給面（４１１）側の部分が弾性変形可能である構成としては、搬送ベルト（３５）の外周面（Ｆ）に対向するように固定された固定部と、当該固定部に対して回転可能に設置された可動部（例えばヒンジを介して固定部に連結された部材）と、を対向部（３１１）が具備する構成が例示される。対向部（３１１）のうち供給面（４１１）側の端部が弾性体（５４）により外周面（Ｆ）側に付勢される構成によれば、遊技体（Ｂ）の落下を抑制する対向部（３１１）の作用を充分に確保しながら、対向部（３１１）のうち供給面（４１１）側の端部を適度に移動させることでブリッジ現象を有効に抑制することが可能である。
【００７１】
付記３から付記５の何れかの好適例（付記６）において、前記対向部（３１１）のうち前記供給面（４１１）から遠い位置ほど可動範囲（ｒ1，ｒ2）が小さい。対向部（３１１）のうち供給面（４１１）から遠い部分も外周面（Ｆ）から離間する方向に充分に移動する構成では、支持部（３５２）からの遊技体（Ｂ）の落下を抑制する対向部（３１１）の作用を充分に確保できない可能性がある。対向部（３１１）のうち供給面（４１１）から遠い位置ほど可動範囲が小さい構成によれば、遊技体（Ｂ）の落下を抑制する対向部（３１１）の作用を充分に確保しながら、対向部（３１１）のうち供給面（４１１）側の端部を適度に移動させることでブリッジ現象を有効に抑制することが可能である。
【００７２】
付記２から付記６の何れかの好適例（付記７）において、前記供給面（４１１）は、前記搬送ベルト（３５）に近い位置ほど低位となる傾斜面である。以上の態様によれば、遊技体（Ｂ）が供給面（４１１）を搬送ベルト（３５）に向けて転動するから、簡便な構成により多数の遊技体（Ｂ）を効率的に搬送装置（３０）に取込むことが可能である。
【００７３】
付記１から付記７の何れかの好適例（付記８）において、前記複数の支持部（３５２）の各々は、前記外周面（Ｆ）のうち鉛直方向の上方に移動する範囲（Ｒa）において、当該支持部（３５２）の先端部が基端部よりも上方に位置するように、前記外周面（Ｆ）に対して傾斜する。以上の態様では、支持部（３５２）の先端部が基端部よりも上方に位置するから、支持部（３５２）に載置された遊技体（Ｂ）が落下する可能性を低減することが可能である。
【００７４】
付記１から付記８の何れかの好適例（付記９）において、前記搬送ベルト（３５）における鉛直方向の上方の端部において、前記遊技体（Ｂ）は、前記支持部（３５２）の回転移動により放出される。以上の態様では、支持部（３５２）の回転移動により遊技体（Ｂ）が放出されるから、搬送装置（３０）から遊技体（Ｂ）を排出するための煩雑な機構が不要であるという利点がある。
【００７５】
付記１から付記９の何れかの好適例（付記１０）において、前記外周面（Ｆ）のうち鉛直方向の下方に移動する範囲（Ｒb）における支持部（３５２）は、前記遊技体（Ｂ）を載置可能である。以上の態様によれば、外周面（Ｆ）のうち下方に移動する範囲（Ｒb）の支持部（３５２）にも遊技体（Ｂ）が載置されるから、外周面（Ｆ）のうち上方に移動する範囲（Ｒa）に遊技体（Ｂ）を搬送することで当該遊技体（Ｂ）を再び上方に搬送することが可能である。
【００７６】
付記１から付記１０の何れかの好適例（付記１１）において、前記周方向に隣合う２個の支持部（３５２）の間隔（Ｇ）は、前記遊技体（Ｂ）の外径の２倍以上である。以上の態様では、２個の支持部（３５２）の間隔（Ｇ）が遊技体（Ｂ）の外径の２倍以上であるから、支持部（３５２）に載置された２個以上の遊技体（Ｂ）が鉛直方向に積層される。したがって、ブリッジ現象を抑制しながら、多数の遊技体（Ｂ）を効率的に搬送できる。
【００７７】
本発明の好適な態様に係るゲーム装置は、付記１から付記１１の何れかの搬送装置（３０）と、前記遊技体（Ｂ）を利用したゲームを実行する遊技体利用部（２０）とを具備し、前記搬送装置（３０）は、前記遊技体利用部（２０）による利用後の前記遊技体（Ｂ）を、当該遊技体利用部（２０）に搬送する。以上の態様では、遊技体利用部（２０）による利用後の遊技体（Ｂ）を、搬送装置（３０）により循環させることで、遊技体利用部（２０）により再利用することが可能である。
【００７８】
「遊技体利用部（２０）」は、例えば、遊技体（Ｂ）を利用したゲームを実行するゲーム機構である。ゲーム機構が実行するゲームの種類は任意であるが、例えば遊技体（Ｂ）が載置されたテーブルの縁部から遊技体（Ｂ）を落下させるプッシャーゲームが好適例である。
【符号の説明】
【００７９】
１００…ゲーム装置、１０…操作パネル、１１L，１１R…操作部、１２…受付部、１３…払出部、、２０…ゲーム機構、２１…テーブル、Ｅ…前縁、２２…プッシャー部、２３…支持構造体、２３１L，２３１R…側壁部、２３２…前壁部、２３４…後壁部、２４L，２４R…投入機構、２６…計数器、３０…搬送装置、３１…筐体部、３１１…対向部、３１２…背面部、３１３…左側面部、３１４…右側面部、３２，３３…回転体、３４…駆動機構、３５…搬送ベルト、３５１…基体部、３５２…支持部、４１…供給部、４１１…供給面、４２…取込口、４３…排出口、４４…搬送路、５１…固定部、５２…弾性部、５３…可動部、５４…弾性体、Ｂ…遊技体、Ｆ…搬送面。
【図１】
2020065600.tif 000003
【図２】
2020065600.tif 000004
【図３】
2020065600.tif 000005
【図４】
2020065600.tif 000006
【図５】
2020065600.tif 000007
【図６】
2020065600.tif 000008
【図７】
2020065600.tif 000009
【図８】
2020065600.tif 000010
【図９】
2020065600.tif 000011
【図１０】
2020065600.tif 000012
【図１１】
2020065600.tif 000013
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
ゲームに使用される転動可能な遊技体を搬送する搬送装置であって、
前記遊技体が載置される複数の支持部が周方向に沿って外周面に設置され、前記遊技体を鉛直方向の上方に搬送する環状の搬送ベルトと、
前記外周面のうち鉛直方向の上方に移動する範囲に対向し、前記支持部からの前記遊技体の落下を抑制する対向部とを具備し、
前記遊技体は、当該遊技体が供給される供給面と前記対向部との間隔を介して前記支持部に載置され、
前記対向部のうち前記供給面側の端部は、前記外周面から離間する方向に移動可能である
搬送装置。
【請求項２】
前記複数の支持部のうち前記周方向に隣合う２個の支持部の間の空間は、２個以上の遊技体を収容可能である
請求項１の搬送装置。
【請求項３】
前記対向部のうち前記供給面側の部分は弾性変形可能である
請求項１または請求項２の搬送装置。
【請求項４】
前記対向部のうち前記供給面側の端部を前記外周面側に付勢する弾性体
を具備する請求項１または請求項２の搬送装置。
【請求項５】
前記対向部のうち前記供給面から遠い位置ほど可動範囲が小さい
請求項１から請求項４の何れかの搬送装置。
【請求項６】
前記供給面は、前記搬送ベルトに近い位置ほど低位となる傾斜面である
請求項１から請求項５の何れかの搬送装置。
【請求項７】
前記複数の支持部の各々は、前記外周面のうち鉛直方向の上方に移動する範囲において、当該支持部の先端部が基端部よりも上方に位置するように、前記外周面に対して傾斜する
請求項１から請求項６の何れかの搬送装置。
【請求項８】
前記搬送ベルトにおける鉛直方向の上方の端部において、前記遊技体は、前記支持部の回転移動により放出される
請求項１から請求項７の何れかの搬送装置。
【請求項９】
前記外周面のうち鉛直方向の下方に移動する範囲における支持部は、前記遊技体を載置可能である
請求項１から請求項８の何れかの搬送装置。
【請求項１０】
前記周方向に隣合う２個の支持部の間隔は、前記遊技体の外径の２倍以上である
請求項１から請求項９の何れかの搬送装置。
【請求項１１】
請求項１から請求項１０の何れかの搬送装置と、
前記遊技体を利用したゲームを実行する遊技体利用部とを具備し、
前記搬送装置は、前記遊技体利用部による利用後の前記遊技体を、当該遊技体利用部に搬送する
ゲーム装置。